(57)【要約】【課題】磁気センサの着脱を容易にできるようにする。【解決手段】冷蔵庫本体１０の開口部１６の口縁には、ブラケット３６がねじ４１Ａで取付可能とされる。ブラケット３６には取付凹部３７が形成され、その両側が相対的に前方に出っ張った保護面３８とされる。取付凹部３７の奥面に磁気センサ３４がねじ４１Ｂで取り付けられる。磁気センサ３４のリード線５７と、リレーボックス側から冷蔵庫本体１０の側壁内の電線挿通路５４を通って引き出された接続線５６とが端子金具５８によって接続され、端子金具５８等は、取付凹部３７の裏側の収容空間内に収められる。ブラケット３６を覆うようにしてカバー５０が前方から被せられ、ねじ４１Ｃで固定される。磁気センサ３４は、カバー５０を外した状態で前面から着脱できる。磁気センサ３４は、両側の保護面３８により、作業者の足や貯蔵物が当たることから保護される。【選択図】  図２
2004324980.tif 000002
【特許請求の範囲】
【請求項１】
貯蔵庫本体の前面に形成された開口部には扉が開閉可能に装着され、前記扉の外周部にはマグネットが設けられる一方、前記開口部の口縁には、前記マグネットに感応して前記扉の開閉状態を検知する磁気センサがブラケットを介して設けられており、かつ前記ブラケットは、前面に開口した取付凹部を備えた形状になり、この取付凹部内に前記磁気センサが取り付けられていることを特徴とする貯蔵庫。
【請求項２】
前記ブラケットには、前記磁気センサのリード線等の配線を収容する収容空間が確保されていることを特徴とする請求項１記載の貯蔵庫。
【請求項３】
前記ブラケットの前面にはカバーが被着可能とされ、前記ブラケットにおける前記取付凹部の周縁部分に前記カバーが締結可能となっていることを特徴とする請求項１または請求項２記載の貯蔵庫。
【発明の詳細な説明】
【０００１】
【発明の属する技術分野】
本発明は、いわゆるドアスイッチを備えた貯蔵庫に関する。
【０００２】
【従来の技術】
冷蔵庫は一般に、冷蔵庫本体の前面開口に仕切枠を嵌めることで出入口となる複数の開口部が形成され、各開口部に扉が開閉可能に装着された構造となっているが、例えば庫内灯の点灯制御等を行うために扉の開閉状態を検知する、いわゆるドアスイッチが併せて装備されている。中でも、業務用冷蔵庫のように扉の開閉が頻繁に行われるものでは、耐久性を考慮して非接触型のものが使用されている。
従来その一例としては、図９（Ａ）に示すように、扉１の裏面の周縁部にマグネット２を埋設する一方、開口部３の口縁を形成する仕切枠４内に、マグネット２に感応する磁気センサ５を収めたものが知られている（例えば、特許文献１参照）。
【０００３】
【特許文献１】
特開平８−３０３９４５号公報
【０００４】
【発明が解決しようとする課題】
しかるに上記従来のものでは、メンテナンス等において磁気センサ５を取り外そうとすると、図９（Ｂ）に示すように、例えば仕切枠４を構成している内装枠４Ａを外し、さらには収容されている断熱材６も外す必要があって、面倒な作業が余儀なくされ、また取り外した部品に損傷を与え兼ねないという問題があった。
本発明は上記のような事情に基づいて完成されたものであって、その目的は、磁気センサの着脱を容易にできるようにするところにある。
【０００５】
【課題を解決するための手段】
上記の目的を達成するための手段として、請求項１の発明に係る貯蔵庫は、貯蔵庫本体の前面に形成された開口部には扉が開閉可能に装着され、前記扉の外周部にはマグネットが設けられる一方、前記開口部の口縁には、前記マグネットに感応して前記扉の開閉状態を検知する磁気センサがブラケットを介して設けられており、かつ前記ブラケットは、前面に開口した取付凹部を備えた形状になり、この取付凹部内に前記磁気センサが取り付けられている構成としたところに特徴を有する。
【０００６】
請求項２の発明は、請求項１に記載のものにおいて、前記ブラケットには、前記磁気センサのリード線等の配線を収容する収容空間が確保されているところに特徴を有する。
請求項３の発明は、請求項１または請求項２に記載のものにおいて、前記ブラケットの前面にはカバーが被着可能とされ、前記ブラケットにおける前記取付凹部の周縁部分に前記カバーが締結可能となっているところに特徴を有する。
【０００７】
【発明の作用及び効果】
＜請求項１の発明＞
磁気センサは、開口部の口縁に設けられたブラケットに対して前面から取り付けまたは取り外しができるから、初めの組み立てやメンテナンス時における交換作業も短時間で能率良く行うことができる。しかも磁気センサは、ブラケットの取付凹部に収容されるのであるから、回りの相対的な突部によって作業者の足等が当たることから保護される。
＜請求項２の発明＞
磁気センサのリード線等の配線もブラケットの収容空間内に収められて、外観もすっきりしたものになる。
＜請求項３の発明＞
カバーによって磁気センサがより確実に保護され、カバー自身も前面側から簡単に着脱できる。
【０００８】
【発明の実施の形態】
以下、本発明の実施形態を添付図面に基づいて説明する。
＜第１実施形態＞
本発明の第１実施形態を図１ないし図４によって説明する。この実施形態では、４ドアタイプの冷蔵庫を例示している。
図１において、符号１０は、前面開口の断熱箱体からなる冷蔵庫本体であって、底面に備えられた脚１１で支持されており、上面には機械室１２が設けられている。冷蔵庫本体１０内は冷蔵室１３になっているとともに、前面開口には十字形をなす仕切枠１５が嵌められることにより、出入口となる４個の開口部１６が形成されている。各開口部１６には、断熱扉１８がヒンジ機構２２を介して観音開き形式に装着されており、取手１９を持って開閉操作されるようになっている。なお、扉１８の裏面の周縁部には、対応する開口部１６の口縁に密着するマグネットパッキン２０が嵌着されている。
【０００９】
各扉１８には、この扉１８の開閉状態を検知するドアスイッチ３０が装備されており、例えば冷蔵室１３の奥面に装備された庫内灯３１の点灯制御を行うこと等に利用される。
ドアスイッチ３０は詳細には、マグネット３３と、このマグネット３３の磁力に感応するリードスイッチ等の磁気センサ３４とから構成されている。
このうちマグネット３３は、上段の２枚の扉１８では、上面のヒンジ機構２２寄りの位置に、また下段の２枚の扉１８では、下面のヒンジ機構２２寄りの位置にそれぞれ嵌着されている。磁気センサ３４は、上記の各マグネット３３の位置と対応するようにして、上段の２個の開口部１６では、その上側の口縁のヒンジ機構２２寄りの位置に、また下段の２個の開口部１６では、その下側の口縁のヒンジ機構２２寄りの位置に、それぞれブラケット３６を介して取り付けられている。
【００１０】
続いて、磁気センサ３４の詳細な取付構造を、正面から見た右下の開口部１６を例に取って説明する。
図２に示すように、磁気センサ３４を取り付けるためのブラケット３６は、ステンレス鋼板等の細長い金属板をプレス成形して形成され、長さ方向の中央部が奥側に凹まされて取付凹部３７が形成されており、この取付凹部３７の両側が相対的に前方に突出した保護面３８となっている。両保護面３８の外縁からは、奥側に向けて直角に取付脚３９が形成されており、両取付脚３９の突出端は、取付凹部３７の奥面よりも所定寸法突出し、また突出端には、内側に直角曲げされた取付板４０が形成されている。
【００１１】
両取付板４０には、このブラケット３６を開口部１６の口縁に取り付けるべくねじ４１Ａの挿通孔４２Ａが開口され、一方開口部１６の下側の口縁におけるヒンジ機構２２の取付位置２２Ａに寄った所定位置に、ねじ孔４３Ａが上記の挿通孔４２Ａと対応して形成されている。なお、両保護面３８におけるねじ４１Ａの挿通孔４２Ａの前方に対応する位置には、ねじ４１Ａの締結操作をするドライバが挿通される大径の操作用孔４４が開口されている。
ブラケット３６の取付凹部３７には磁気センサ３４が取り付けられるようになっており、そのため取付凹部３７の奥面に、２個のねじ孔４３Ｂが形成されている。取付凹部３７における正面から見た右側の側板には、その上端側が切り欠かれることで電線逃がし溝４６が形成されているとともに、右側の取付脚３９には電線逃がし孔４７が開口されている。
【００１２】
ブラケット３６にはカバー５０が被着可能となっている。このカバー５０は、同じくステンレス鋼板等の金属板製であって、ブラケット３６をすっぽりと覆う後面開口の箱形に形成されている。カバー５０の前面板５０Ａには、このカバー５０をブラケット３６に取り付けるべくねじ４１Ｃの挿通孔４２Ｃが２個開口され、一方ブラケット３６の両保護面３８には、ねじ孔４３Ｃが上記の挿通孔４２Ｃと対応して形成されている。なお、カバー５０の右側面には、電線逃がし溝５１が奥縁から切り込み形成されている。
【００１３】
また、図１に示すように、機械室１２内にはリレーボックス５３が装備されているとともに、冷蔵庫本体１０の側壁内には電線挿通路５４が形成されており、この電線挿通路５４の上端のポートは、天井壁におけるリレーボックス５３の設置位置付近に開口されているとともに、下端のポート５５は、開口部１６の下側の口縁におけるヒンジ機構２２の取付位置２２Ａの近傍に開口されている。
なお、この電線挿通路５４は、開口部１６の口縁の裏面等に配設する結露防止用ヒータへの通電線を挿通する電線挿通路を兼用してもよい。
【００１４】
続いて、取り付けの手順について説明する。まず、ブラケット３６の取付凹部３７の奥面に磁気センサ３４を当て、磁気センサ３４に形成された挿通孔４２Ｂに通したねじ４１Ｂをねじ孔４３Ｂに螺合して締め付けることで固定する。続いてブラケット３６の両取付脚３９の取付板４０を開口部１６の下側の口縁の所定位置に当て、取付板４０の挿通孔４２Ａに通したねじ４１Ａをねじ孔４３Ａに螺合し、操作用孔４４を通したドライバで締め付けて固定する。
ここで電線挿通路５４には、リレーボックス５３から引き出された接続線５６が挿通されて、図４に示すように、下端のポート５５からヒンジプレート２３の逃がし溝２４を通して前方に引き出されている。したがって上記のように、ブラケット３６が取り付けられたら、接続線５６の端末がブラケット３６の電線逃がし孔４７を通して内側に通され、磁気センサ３４から引き出されたリード線５７の端末と、ギボシ端子等の端子金具５８によって接続される。
【００１５】
一方、図３に示すように、ブラケット３６の取付凹部３７の奥面と開口部１６の口縁との間には、所定の収容空間５９が形成されるから、磁気センサ３４のリード線５７を電線逃がし溝４６に通しつつ折り畳んで、端子金具５８を収容空間５９内に収める。
最後に、接続線５６を電線逃がし溝５１に逃がしつつ、カバー５０をブラケット３６の外側に前方から嵌めて前面板５０Ａを保護面３８に当て、前面板５０Ａの挿通孔４２Ｃに通したねじ４１Ｃを保護面３８のねじ孔４３Ｃに螺合して締め付けることでカバー５０が固定され、これにより組み付けが完了する。
なお、他の３箇所でも同様にして磁気センサ３４が取り付けられる。
【００１６】
上記のようにドアスイッチ３０が装備されると、閉扉状態では、扉１８に装着されたマグネット３３が、図３の鎖線に示すように、磁気センサ３４の直上または直下に対応し、磁気センサ３４がオン状態となることで庫内灯３１が消灯状態に保持され、一方、いずれかの扉１８が開けられてマグネット３３が離間すると、磁気センサ３４がオフ状態となることで庫内灯３１が点灯するといった制御がなされる。
メンテナンス等で磁気センサ３４を外す場合は、ねじ４１Ｃを緩めてカバー５０を外すと、ブラケット３６の取付凹部３７が前面に開口した状態となるから、同じくねじ４１Ｂを緩めることで磁気センサ３４をブラケット３６から外すことができ、さらに端子金具５８を収容空間５９から引き出して接続を解除すれば、磁気センサ３４を単体で取り出すことができる。
【００１７】
このように本実施形態によれば、磁気センサ３４は、開口部１６の口縁に取り付けられたブラケット３６に対して前面から取り付けまたは取り外しができるから、初めの組み立てやメンテナンス時における交換作業も短時間で能率良く行うことができる。
磁気センサ３４はカバー５０で覆われていることに加え、ブラケット３６の取付凹部３７内に収容されているから、作業者の足や貯蔵物がぶつけられても、両側の保護面３８に当たって磁気センサ３４が保護される。
また、端子金具５８や配線の余剰部分も収容空間５９内に収められるから、外観がすっきりとまとめられる。
【００１８】
＜第２実施形態＞
図５及び図６は、本発明の第２実施形態を示す。この第２実施形態では、ブラケット３６Ａを開口部１６の口縁に取り付ける構造に変更が加えられており、取付板４０の裏面に両面テープ６０が貼られている。なお、両面テープ６０に代えて、強力なマグネット板を取り付けてもよい。ねじ止めされる第１実施形態と比較すると、ブラケット３６Ａでは取付板４０のねじの挿通孔４２Ａと操作用孔４４が、開口部１６の口縁ではねじ孔４３Ａがそれぞれ不要となる。
その他の構造は上記第１実施形態と同様であって、同一機能を有する部位については同一符号を付すことで、重複した説明は省略する。
【００１９】
初めの取り付けの手順としては、ブラケット３６Ａの取付凹部３７の奥面に磁気センサ３４をねじ４１Ｂで固定した後、磁気センサ３４のリード線５７と接続線５６の端子金具５８同士を接続して、端子金具５８等を取付凹部３７の裏側に収め、続いてカバー５０を被せてねじ４１Ｃで固定することによって、図６に示すように磁気センサユニット６１を形成する。
続いて、ユニット６１内のブラケット３６Ａの両取付板４０に設けられた両面テープ６０を、開口部１６の口縁の所定の取付面６３に押し当てて貼り付ける。この場合、ユニット６１の上下方向の位置決めは、図６に示すように、ユニット６１の上面または下面を冷蔵庫本体１０の上縁または下縁と合わせることで、簡単にかつ正確に行うことができる。
【００２０】
メンテナンス等で磁気センサ３４を外す場合は、第１実施形態と同様に、ねじ４１Ｃを緩めてカバー５０を外したのち、ねじ４１Ｂを緩めて磁気センサ３４をブラケット３６から外し、さらに端子金具５８の接続を解除すれば、磁気センサ３４を単体で取り出すことができる。
第１実施形態と同様の効果を得ることができる。特にブラケット３６Ａを両面テープ６０またはマグネット板等により貼り付けて固定するようにしたから、ねじ止めと比べて構造が簡単となり、取付作業自体も簡単となる。
【００２１】
＜関連技術＞
図７及び図８は関連技術を示す。この関連技術では、磁気センサ３４が、ヒンジ機構２２を構成するヒンジプレート２３を利用して取り付けられている。なお、上記実施形態と同じ機能を示す部位には、同一符号が付されている。
すなわちヒンジプレート２３の支持板７０の下面には、アングル状のブラケット７１がねじで取り付けられ、その垂下板７２の前面に、磁気センサ３４がねじで取り付けられる。磁気センサ３４のリード線５７と接続線５６の互いに接続された端子金具５８は、磁気センサ３４の下方に配され、ヒンジプレート２３の支持板７０の下面に、磁気センサ３４等を覆うようにしてカバー７４が被せられ、ねじによりヒンジプレート２３の支持板７０に固定されている。
【００２２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）磁気センサとしては、リードスイッチ以外にもホール素子等を用いてもよい。
（２）本発明は上記実施形態に例示した冷蔵庫に限らず、開閉扉を備えた貯蔵庫全般に広く適用することが可能である。
【図面の簡単な説明】
【図１】本発明の第１実施形態に係る冷蔵庫の外観斜視図
【図２】磁気センサの取付部分の分解斜視図
【図３】その部分平断面図
【図４】その一部切欠部分正面図
【図５】第２実施形態に係る磁気センサの取付部分の分解斜視図
【図６】磁気センサユニットの位置決め動作を示す側面図
【図７】関連技術の分解斜視図
【図８】その部分正面図
【図９】（Ａ）従来例の冷蔵庫本体の斜視図
（Ｂ）その磁気センサの配設部分の分解斜視図
【符号の説明】
１０…冷蔵庫本体（貯蔵庫本体）  １６…開口部  １８…扉  ３０…ドアスイッチ  ３３…マグネット  ３４…磁気センサ  ３６，３６Ａ…ブラケット  ３７…取付凹部  ３８…保護面  ４１Ａ，４１Ｂ，４１Ｃ…ねじ  ５０…カバー  ５４…電線挿通路  ５６…接続線  ５７…リード線  ５８…端子金具  ５９…収容空間  ６０…両面テープ
【図１】
2004324980.tif 000003
【図２】
2004324980.tif 000004
【図３】
2004324980.tif 000005
【図４】
2004324980.tif 000006
【図５】
2004324980.tif 000007
【図６】
2004324980.tif 000008
【図７】
2004324980.tif 000009
【図８】
2004324980.tif 000010
【図９】
2004324980.tif 000011